(57)【要約】【課題】  携帯電話機１によってＦＡＸ通信を直接行うことを可能にして、何時でも何処ででも情報通信することができるという携帯電話機の利点と、用紙Ｐに印刷された情報によって情報を扱うことができるというＦＡＸ通信による利点とを合理的に融合させた情報通信環境を実現する。【解決手段】  携帯電話機１では、データ処理部８の文書編集処理により編集された電子メールをモデム１２によりＦＡＸ信号に変換して無線部４により宛先のＦＡＸ装置Ｆへ送信する。ＦＡＸ装置Ｆでは、ＦＡＸ信号を無線通信回線及びネットワークＮを介して受信し、モデムにより元の電子メール情報に変換して用紙Ｐに印刷出力する。また、ＦＡＸ装置Ｆで用紙Ｐから読み取った情報はＦＡＸ信号に変換されて宛先の携帯電話機１に送信され、携帯電話機１では受信したＦＡＸ信号をモデム１２で画面２に表示可能な情報に変換して、画面表示する。【選択図】  図２
2006060552.tif 000002
【特許請求の範囲】
【請求項１】
情報を表示する画面と、ユーザからの操作入力を受け付ける操作部と、無線通信回線を介して無線通信する無線部と、を備えた携帯電話機において、
画面に表示する情報をＦＡＸ信号に変換する機能と、変換して得られたＦＡＸ信号を無線通信回線を介してＦＡＸ装置へ送信する機能と、を備えたことを特徴とする携帯電話機。
【請求項２】
請求項１に記載の携帯電話機において、
ユーザからの操作入力に応じて文書を編集するとともに当該文書を画面表示する機能を更に備え、
当該文書を画面表示して編集する機能により、前記ＦＡＸ信号に変換する機能と前記ＦＡＸ信号をＦＡＸ装置へ送信する機能が起動されて、編集された文書をＦＡＸ信号に変換して無線通信回線を介してＦＡＸ装置へ送信することを特徴とする携帯電話機。
【請求項３】
請求項１に記載の携帯電話機において、
ネットワークから無線通信回線を介してページ情報を取得する機能と、取得したページ情報をユーザからの操作入力に応じて編集するとともに当該編集されたページ情報を画面表示する機能と、を更に備え、
当該ページ情報を画面表示して編集する機能により、前記ＦＡＸ信号に変換する機能と前記ＦＡＸ信号をＦＡＸ装置へ送信する機能が起動されて、編集したページ情報をＦＡＸ信号に変換して無線通信回線を介してＦＡＸ装置へ送信することを特徴とする携帯電話機。
【請求項４】
請求項１に記載の携帯電話機において、
画像を撮影するカメラと、ユーザからの操作入力に応じて画像を撮影するとともに当該画像を画面表示する機能と、を更に備え、
当該画像を撮影して画面表示する機能により、前記ＦＡＸ信号に変換する機能と前記ＦＡＸ信号をＦＡＸ装置へ送信する機能が起動されて、撮影した画像をＦＡＸ信号に変換して無線通信回線を介してＦＡＸ装置へ送信することを特徴とする携帯電話機。
【請求項５】
情報を表示する画面と、ユーザからの操作入力を受け付ける操作部と、無線通信回線を介して無線通信する無線部と、を備えた携帯電話機において、
ＦＡＸ信号を無線通信回線を介して受信する機能と、受信したＦＡＸ信号を画面表示可能な画像情報に変換する機能と、を備えたことを特徴とする携帯電話機。
【請求項６】
情報を表示する画面と、ユーザからの操作入力を受け付ける操作部と、無線通信回線を介して無線通信する無線部とを備えた携帯電話機に記憶させて、当該携帯電話機のコンピュータハードウエアにより実行されるプログラムであって、
携帯電話機に、画面に表示する情報をＦＡＸ信号に変換する機能と、変換して得られたＦＡＸ信号を無線通信回線を介してＦＡＸ装置へ送信する機能と、を実現することを特徴とするコンピュータプログラム。
【請求項７】
情報を表示する画面と、ユーザからの操作入力を受け付ける操作部と、無線通信回線を介して無線通信する無線部とを備えた携帯電話機に記憶させて、当該携帯電話機のコンピュータハードウエアにより実行されるプログラムであって、
携帯電話機に、ＦＡＸ信号を無線通信回線を介して受信する機能と、受信したＦＡＸ信号を画面表示可能な画像情報に変換する機能と、を実現することを特徴とするコンピュータプログラム。
【発明の詳細な説明】
【技術分野】
【０００１】
本発明は、情報を表示する画面と、ユーザからの操作入力を受け付ける操作部と、無線通信回線を介して無線通信する無線部とを備えた携帯電話機に関し、特に、画面に表示する文書や写真画像等の情報をＦＡＸ信号（ファクシミリ信号）により通信することができる携帯電話機に関する。
【背景技術】
【０００２】
近年、携帯電話機を用いた情報通信が普及している。携帯電話機には通話通信のみならず種々な機能が備えられており、備えられた機能に応じて、ネットワーク上のサイトからページ情報を取得して画面表示するＷｅｂツールとしての利用、電子メールを作成して送信したり受信した電子メールを画面表示する電子メールツールとしての利用、メモ等のテキストを作成する文書作成ツールとしての利用等、様々な利用形態が可能となっている。
【０００３】
携帯電話機を用いた情報通信には、何時でも何処ででも手軽に情報通信することができるという利点がある。
例えば、ネットワーク上のサイトからページ情報を取得して画面表示することにより出先においてニーズに合うレストランや店舗を探すことができ、また、移動中においても電子メールの送受信により情報交換をすることができ、また、文書編集機能によりメモを作成して保存することができ、カメラ機能により写真を撮影して保存したり電子メールに添付して通信することができる。
【０００４】
一方、情報通信の手段としてＦＡＸ装置（ファクシミリ装置）を用いたＦＡＸ通信も普及しており、広く利用に供されている。ＦＡＸ通信は、情報をモデムによって音声信号（ＦＡＸ信号）に変換して送信し、受信側ではモデムによってＦＡＸ信号を情報に変換して用紙に印刷出力する情報通信である。
【０００５】
ＦＡＸ通信には、実体のある印刷物となった情報をユーザが扱うので、煩雑な操作を擁することなく誰にでも容易に情報通信することができるという利点がある。また、受信した情報が実体のある印刷物となるので、受信した情報の確認洩れが少ない、受信した情報が誰もが見易く扱い形式として出力される、受信した情報をファイリングして保存し易い等という利点もある。
例えば、電子機器の操作に不慣れなユーザであっても、手書きした文書をＦＡＸ装置により相手側に送信したり、相手側から送信されてきた文書を印刷物として受信することができる。また、例えば、レストランや店舗等では、予約票や注文票を印刷物として受信するすることができるので、予約や注文の確認洩れが防止される。
【発明の開示】
【発明が解決しようとする課題】
【０００６】
携帯電話機は上記のような利点があり広く利用に供されているが、画面に表示可能に保持している文書や写真画像等の情報を用紙に印刷して出力するには不便があった。
例えば、携帯電話機をプリンタ装置に接続して情報を転送し、当該プリンタ装置によって情報を印刷出力することが可能であるが、この方法にあっては、接続可能なプリンタや接続のためのケーブル等を用意しなければならず、何時でも何処ででも容易に情報を扱うことができるという携帯電話機の利点を損なってしまう。また、例えば、ネットワーク上に設けられたＦＡＸサーバを仲介して、携帯電話機からの情報をＦＡＸ装置から印刷出力することが可能であるが、この方法にあっては、ＦＡＸサーバによる仲介サービスを利用しなければならず、事前に仲介サービスへ加入しなければならないため誰でも利用することができない、また、仲介サービスの利用に伴う料金負担が生じる、更には、文書編集や写真撮影するアプリケーションを終了してからＦＡＸサーバに接続操作するといった煩雑な操作を行わなければならないといった課題があった。
【０００７】
本発明は、上記従来の事情に鑑みなされたもので、携帯電話機によってＦＡＸ通信を直接行うことを実現することにより、携帯電話機を用いた情報通信とＦＡＸ通信との利点を融合させた情報通信環境を実現することを目的としている。
【課題を解決するための手段】
【０００８】
本発明に係る携帯電話機は、情報を表示する画面と、ユーザからの操作入力を受け付ける操作部と、無線通信回線を介して無線通信する無線部とを備えており、更に、画面に表示する情報をＦＡＸ信号に変換する機能と、変換して得られたＦＡＸ信号を無線通信回線を介してＦＡＸ装置へ送信する機能とを備えている。
したがって、携帯電話機の画面に表示される情報を、ユーザが操作入力して指定した或いは予め設定された宛先のＦＡＸ装置へ当該携帯電話機から直接ＦＡＸ送信することができ、当該ＦＡＸ装置により情報を印刷出力することができる。
【０００９】
なお、ＦＡＸ通信には、情報を音声帯域信号であるＦＡＸ信号に変換して通信する方式の他に、情報を音声帯域より高周波の信号であるＦＡＸ信号に変換して通信する方式があるが、本発明はいずれの方式にも適用可能である。
【００１０】
また、本発明に係る携帯電話機は、ユーザからの操作入力に応じてメモや電子メール等の文書を編集するとともに当該文書を画面表示する機能を更に備えており、当該文書を画面表示して編集する機能により、前記ＦＡＸ信号に変換する機能と前記ＦＡＸ信号をＦＡＸ装置へ送信する機能が起動されて、編集された文書をＦＡＸ信号に変換して無線通信回線を介してＦＡＸ装置へ送信する。
したがって、携帯電話機のメーラ機能や文書編集機能等によって編集した文書を宛先のＦＡＸ装置へ当該携帯電話機から直接ＦＡＸ送信することができ、当該ＦＡＸ装置により情報を印刷出力することができる。更に、メーラ機能や文書編集機能等によって編集した文書を当該機能から連続してＦＡＸ送信することができるため、従来のようにＦＡＸサーバによる仲介サービスを利用する場合のように、改めてＦＡＸサーバに接続するといった煩雑な操作が不要である。
【００１１】
また、本発明に係る携帯電話機は、ネットワークから無線通信回線を介してページ情報を取得する機能と、取得したページ情報をユーザからの操作入力に応じて編集するとともに当該編集されたページ情報を画面表示する機能と、を更に備えており、当該ページ情報を画面表示して編集する機能により、前記ＦＡＸ信号に変換する機能と前記ＦＡＸ信号をＦＡＸ装置へ送信する機能が起動されて、編集したページ情報をＦＡＸ信号に変換して無線通信回線を介してＦＡＸ装置へ送信する。
したがって、例えば、携帯電話機のＷｅｂ機能等によって取得したレストランのＷｅｂページ情報に予約事項を書き込んで宛先であるレストランのＦＡＸ装置へ当該携帯電話機から直接ＦＡＸ送信することができ、当該ＦＡＸ装置により予約情報を印刷出力させることができる。更に、文書編集機能等によって編集したページ情報を当該機能から連続してＦＡＸ送信することができるため、従来のようにＦＡＸサーバによる仲介サービスを利用する場合のように、改めてＦＡＸサーバに接続するといった煩雑な操作が不要である。
【００１２】
また、本発明に係る携帯電話機は、画像を撮影するカメラと、ユーザからの操作入力に応じて画像を撮影するとともに当該画像を画面表示する機能と、を更に備えており、当該画像を撮影して画面表示する機能により、前記ＦＡＸ信号に変換する機能と前記ＦＡＸ信号をＦＡＸ装置へ送信する機能が起動されて、撮影した画像をＦＡＸ信号に変換して無線通信回線を介してＦＡＸ装置へ送信する。
したがって、携帯電話機のカメラ機能等によって撮影した写真をＦＡＸ装置へ当該携帯電話機から直接ＦＡＸ送信することができ、当該ＦＡＸ装置により写真をモノクロ又はカラー印刷出力させることができる。更に、カメラ機能によって撮影した写真を当該機能から連続してＦＡＸ送信することができるため、従来のようにＦＡＸサーバによる仲介サービスを利用する場合のように、改めてＦＡＸサーバに接続するといった煩雑な操作が不要である。
【００１３】
また、本発明に係る携帯電話機は、情報を表示する画面と、ユーザからの操作入力を受け付ける操作部と、無線通信回線を介して無線通信する無線部とを備えており、更に、ＦＡＸ信号を無線通信回線を介して受信する機能と、受信したＦＡＸ信号を画面表示可能な画像情報に変換する機能とを備えている。
したがって、携帯電話機が、ＦＡＸ装置から送信された上記のような文書や写真等の情報を直接受信して画面に表示可能な情報とすることができる。なお、この画面表示可能な情報は、受信に応じて自動的に画面に表示出力するようにしてもよく、また、携帯電話機のメモリに保持してユーザからの操作入力に応じて画面に表示出力するようにしてもよい。
【００１４】
ここで、近年の携帯電話機は、様々なアプリケーションプログラムをインストールし、携帯電話機のプロセッサやメモリ等といったコンピュータハードウエアによりアプリケーションプログラムを実行することで様々な機能を実現している。
本発明は、上記のようなＦＡＸ通信機係る諸機能を実現するためのアプリケーションプログラムとして実施することができる。
【００１５】
具体的には、情報を表示する画面と、ユーザからの操作入力を受け付ける操作部と、無線通信回線を介して無線通信する無線部とを備えた携帯電話機に記憶させて当該携帯電話機のコンピュータハードウエアにより実行されるプログラムであって、携帯電話機に、画面に表示する情報をＦＡＸ信号に変換する機能と、変換して得られたＦＡＸ信号を無線通信回線を介してＦＡＸ装置へ送信する機能とを実現するコンピュータプログラムである。
また、同様に、携帯電話機に記憶させて、当該携帯電話機のコンピュータハードウエアにより実行されるプログラムであって、携帯電話機に、ＦＡＸ信号を無線通信回線を介して受信する機能と、受信したＦＡＸ信号を画面表示可能な画像情報に変換する機能とを実現するコンピュータプログラムである。
【発明の効果】
【００１６】
本発明によると、携帯電話機にファクシミリ通信機能を備えたため、携帯電話機によってＦＡＸ通信を直接行うことができ、携帯電話機の情報通信による利点とＦＡＸ通信による利点とを合理的に融合させた情報通信環境を実現することができる。例えば、携帯電話機によって何時でも何処ででも利用することができる情報を、ＦＡＸ装置を用いて手軽に印刷出力することができる。
【発明を実施するための最良の形態】
【００１７】
本発明を実施例に基づいて具体的に説明する。
図１には、本例に係る携帯電話機を用いたＦＡＸ通信システムの概要及び携帯電話機の主要な機能構成を示してある。
公衆回線網等のネットワークＮにＦＡＸ装置Ｆが接続され、当該ネットワークに接続された基地局Ｂと無線通信することにより、携帯電話機１はネットワークＮを介してＦＡＸ装置Ｆと通信接続される。
なお、ＦＡＸ装置Ｆは、公知のように、用紙に印刷された画像情報を読み取ってＦＡＸ信号に変換して送信する機能と、受信したＦＡＸ信号を画像情報に変換して用紙に印刷して出力する機能を有している。
【００１８】
携帯電話機１は、情報を表示する液晶画面２、ユーザからの操作入力を受け付ける操作ボタンキーを備えた操作部３、基地局Ｂとの間で無線通信回線を介して無線通信する無線部４、音声情報を出力するスピーカ５、音声情報を入力するマイクロフォン６、写真画像を撮影するカメラ７を有している。
また、携帯電話機１は、更に、画面２に表示する情報のデータ処理を行うデータ処理部８、当該情報を記憶保持するデータメモリ９、当該情報を画面２に表示出力させる表示処理部１０、当該情報を無線部４を介して通信処理する通信処理部１１を有しており、通信処理部１１にはＦＡＸ送信する情報をＦＡＸ信号に変換するとともに受信したＦＡＸ信号を情報画像に変換するモデム１２が設けられている。
【００１９】
データ処理部８は、メモや電子メール等の文書編集処理、ネットワークＮ上のサーバからページ情報を取得する処理、取得したページ情報の編集処理、カメラ７で撮影する写真画像の撮り込み処理等といったように、携帯電話機１に設けられた諸機能を実行する手段である。
そして、データ処理部８の機能の実行により画面２に表示される文書、ページ情報、写真画像等の情報をモデム１２がＦＡＸ信号に変換し、通信処理部１１及び無線部４が当該ＦＡＸ信号を無線通信回線を介して宛先のＦＡＸ装置Ｆへ送信する。また、通信処理部１１及び無線部４が無線通信回線から受信したＦＡＸ信号をモデム１２が画面表示可能な情報に変換し、データ処理部８が当該情報をメモリ９に記憶保持させ、また、表示処理部１０が当該情報画像を画面２に表示出力する。
【００２０】
なお、情報のファックス通信に係る上記の機能部は、それぞれハードウエア構成としてもよいが、本例では、携帯電話機１の備えられたコンピュータハードウエアにより本発明に係るコンピュータプログラムを実行することにより構成している。
【００２１】
次に、本例に係る携帯電話機１のＦＡＸ通信処理を、図２〜図５を参照して説明する。
図２には、携帯電話機１で編集した電子メールをＦＡＸ送信して、宛先であるＦＡＸ装置Ｆから用紙Ｐに印刷して出力する例を示してある。
携帯電話機１の電子メール編集はデータ処理部８の文書編集処理により行われ、ユーザが操作入力部３を操作して入力したテキスト文字列を画面２に表示しながら電子メールデータを作成する。なお、この電子メール編集を行う文書編集処理は、本例では、データ処理部８のメーラー機能によって行われる。
【００２２】
なお、携帯電話機１の操作入力部３には、公知のように、オフフックボタンキー、オンフックボタンキー、「１」〜「０」「＊」「＃」といったボタンキー、携帯電話機１に備えられているカメラ７を操作するためのカメラボタンキー、携帯電話機１に備えられている諸機能を起動するための機能ボタンキー、携帯電話機１に備えられている電子メール機能を起動するためのメールボタンキー、携帯電話機１に備えられているネットワーク接続機能を起動するためのネットワークボタンキー、携帯電話機１に備えられているメニュー機能を起動するためのメニューボタンキー、携帯電話機１に備えられているクリア機能を起動するためのクリアボタンキー、上下左右の押下位置を有して画面２上の選択位置を移動させる十字ボタンキー、十字ボタンキーの中央に設けられた決定ボタンキーが設けられている。
【００２３】
また、公知のように、ボタンキーの「１」には「あ行」又は「Ａ、Ｂ、Ｃ」、「２」には「か行」又は「Ｄ、Ｅ、Ｆ」、…「９」には「ら行」又は「Ｗ、Ｘ、Ｙ、Ｚ」、「０」には「ワ行」及び「ん」、「＃」には句読点といったように、テキスト文字入力に必要が文字や記号が割り当てられており、これらボタンキーをユーザが選択して操作することにより所望のテキスト文字列を入力することができる。
【００２４】
上記作成した電子メール情報はメーラー機能によって電子メールとして送信することも可能であるが、本例の携帯電話機１では当該電子メール情報をＦＡＸ送信することができる。
すなわち、ユーザが操作入力部３からＦＡＸ送信指示を入力（例えば、機能ボタンを操作することで画面２に表示される機能メニューの中から十字ボタンキーと決定ボタンキーとの操作で「ＦＡＸ送信」を選択決定）すると、メーラー機能が通信処理部１１と無線部４を起動して、画面２に表示されている当該電子メール情報をモデム１２がＦＡＸ信号に変換して宛先のファックス装置Ｆへ送信する。
【００２５】
なお、本発明では、操作入力部３からのユーザ操作によってメーラー機能を終了させた後に、ユーザ操作によって上記のようなＦＡＸ通信機能を起動させ、画面表示されている電子メール情報を上記のようにしてＦＡＸ送信するようにしてもよいが、本例では、電子メールの作成機能がＦＡＸ送信機能を起動するようにして、電子メールの作成からＦＸＡ送信の操作を一連化して、ユーザによる操作を簡素化している。
【００２６】
携帯電話機１からＦＡＸ送信された電子メール情報は、無線通信回線及びネットワークＮを介して宛先のＦＡＸ装置Ｆで受信され、当該ＦＡＸ装置Ｆにより元の電子メールに変換されて用紙Ｐに印刷されて出力される。
したがって、パーソナルコンピュータや携帯電話機等の電子メール機能を備えた情報通信機器を有しないユーザに対しても、携帯電話機１で作成編集した電子メール情報を送信することができる。また、作成編集した電子メールを用紙に印刷したい場合には、自宅のＦＡＸ装置で印刷出力したり、街中のコンビニエンスストアー等に設定されているＦＡＸ装置で印刷出力することができ、何時でも何処ででも印刷処理を手軽に行うことができる。しかも、このＦＡＸ送信によると、宛先ユーザ側で電子メール情報が用紙に印刷されて出力されるので、画面表示に較べて見易い形態で情報を送信することができてお年寄り等に情報を提供するのに好適である。
【００２７】
なお、電子メール情報と同様にテキスト文字列情報であるメモ等の文書情報についても同様であり、ユーザからの操作入力に応じてデータ処理部８の文書編集処理により作成されて画面２に表示されている文書情報を、上記と同様にして、携帯電話機１から宛先のファックス装置ＦへＦＡＸ送信することができる。
【００２８】
図３には、携帯電話機１で撮影した写真をＦＡＸ送信して、宛先であるＦＡＸ装置Ｆから用紙Ｐに印刷して出力する例を示してある。
携帯電話機１での写真撮影は、カメラ７を利用したデータ処理部８の写真撮影処理により行われ、ユーザが操作入力部（カメラボタンキー）３を操作してカメラ７で撮影した写真を画面２に表示し、ユーザが操作入力部３からＦＡＸ送信指示を入力すると、当該写真撮影機能が通信処理部１１と無線部４を起動して、画面２に表示されている当該写真情報をモデム１２がＦＡＸ信号に変換して宛先のファックス装置Ｆへ送信する。
なお、上記の例と同様に、操作入力部３からのユーザ操作によって写真撮影機能を終了させた後に、ユーザ操作によってＦＡＸ通信機能を起動させるようにしてもよい。
【００２９】
携帯電話機１からＦＡＸ送信された写真情報は、無線通信回線及びネットワークＮを介して宛先のＦＡＸ装置Ｆで受信され、当該ＦＡＸ装置Ｆにより元の写真情報に変換されて用紙Ｐに印刷されて出力される。
したがって、プリンタ装置を有しないユーザであっても、携帯電話機１で撮影した写真を自宅のＦＡＸ装置や街中のコンビニエンスストアー等に設定されているＦＡＸ装置で印刷出力することができ、何時でも何処ででも写真の印刷処理を手軽に行うことができる。しかも、このＦＡＸ送信によると、写真が用紙Ｐに印刷されて出力されるので、画面表示に較べて見易い形態で情報を送信することができてお年寄り等に写真を提供するのに好適である。
【００３０】
図４には、携帯電話機１でネットワークＮ上のサーバから取得したページ情報（本例では、レストランのＷｅｂページから取得した予約票ページ）に編集を加え、当該ページ情報をＦＡＸ送信して、宛先であるＦＡＸ装置Ｆから用紙Ｐに印刷して出力する例を示してある。
携帯電話機１でのページ情報の取得は、ユーザが操作入力部３のネットワークボタンキーを操作し、ユーザにより指定されたＵＲＬに基づいてデータ処理部８が通信処理部１１及び無線部４によりネットワークＮ上のサーバから所定のページ情報を取得することにより行われ、取得されたページ情報は表示処理部１０により画面２に表示される。
【００３１】
本例の予約票（ページ情報）には、予約者の名前、予約日時、人数、料理の種類等の予約内容をデータ処理部８の文書編集機能でユーザが入力できる欄が設けられており、上記の例と同様に、ユーザが操作部３を操作して、必要事項を画面２に表示された予約票に入力して、ＦＡＸ送信指示を入力すると、通信処理部１１と無線部４が起動されて、画面２に表示されている当該予約票がモデム１２によりＦＡＸ信号に変換されて宛先のファックス装置Ｆへ送信される。
なお、上記の例と同様に、操作入力部３からのユーザ操作によってページ情報取得機能及び文書編集機能を終了させた後に、ユーザ操作によってＦＡＸ通信機能を起動させるようにしてもよい。
【００３２】
携帯電話機１からＦＡＸ送信された予約票情報は、無線通信回線及びネットワークＮを介して宛先のＦＡＸ装置Ｆで受信され、当該ＦＡＸ装置Ｆにより元の予約票情報に変換されて用紙Ｐに印刷されて出力される。
したがって、宛先のＦＡＸ装置Ｆが設置されたレストランでは、ユーザからの予約票が用紙Ｐに印刷されて出力されるので、当該印刷された予約票により予約事項を確実に確認することができる。また、予約する側のユーザでは、携帯電話機１で取得した予約票に予約内容を記入して宛先のレストランにＦＡＸ送信することができるので、何時でも何処ででもニーズに合ったレストランを探して確実な方法で予約することができる。
【００３３】
図５には、ＦＡＸ装置Ｆから送信された情報を携帯電話機１で受信して画面表示する例を示してある。
なお、同図に示す例は、上記のようにレストランで用紙Ｐに印刷出力された予約票に、当該レストランの従業員が予約確認（例えば「ご予約ありがとうございます。…レストラン○○」）を手書きして携帯電話機１に送信する場合を示している。
【００３４】
予約確認を記入した予約票ＰをＦＡＸ装置Ｆに装填して当該予約票Ｐを画像読み取りさせ、予約送信元の携帯電話機１に電話番号指定してＦＡＸ送信を行う。ＦＡＸ装置Ｆでは画像読みよりした予約票の画像情報をモデムによりＦＡＸ信号に変換して、宛先の携帯電話機１へ送信する。
携帯電話機１では、無線部４によりＦＡＸ信号を受信し、通信部１１のモデム１２が当該ＦＡＸ信号を予約票の画像情報に変換し、データ処理部８が予約票画像情報をメモリ９に記憶させる。
【００３５】
携帯電話機１への設定に応じて、上記の受信に同期して表示処理部１０が変換された予約票情報を画面２に表示する、或いは、操作入力部３からのユーザ指示に基づいてデータ処理部８がメモリ９から指定された予約票画像情報を読み出し、表示処理部１０が読み出された予約票情報を画面２に表示する。
したがって、予約を受けたレストランでは、ＦＡＸ出力された予約票Ｐに手書き等で確認事項を記入してＦＡＸ装置Ｆにより送信することで、予約者ユーザの携帯電話機１へ簡単且つ確実に予約確認情報を送信することができ、また、予約者ユーザは何時でも何処ででも携帯電話機１により予約したレストランからの予約確認情報を得ることができる。
なお、ＦＡＸ装置ＦからＦＡＸ送信された写真等の他の種類の情報についても、上記と同様に、携帯電話機１で受信してモデム１２により画像表示可能な情報へ変換処理することで、携帯電話機１の画面２に表示出力することができる。
【図面の簡単な説明】
【００３６】
【図１】本発明に一例に係るシステム構成及び携帯電話機の機能構成を示す図である。
【図２】本発明に一例に係る文書情報のＦＡＸ送信を説明する図である。
【図３】本発明に一例に係る写真情報のＦＡＸ送信を説明する図である。
【図４】本発明に一例に係るページ情報のＦＡＸ送信を説明する図である。
【図５】本発明に一例に係る携帯電話機によるＦＡＸ受信を説明する図である。
【符号の説明】
【００３７】
１：携帯電話機、  ２：画面、
３：操作入力部、  ４：無線部、
７：カメラ、  ８：データ処理部、
９：データメモリ、  １０：表示処理部、
１１：通信処理部、  １２：モデム、
Ｂ：無線基地局、  Ｆ：ＦＡＸ装置、
Ｎ：ネットワーク、  Ｐ：用紙、
【図１】
2006060552.tif 000003
【図２】
2006060552.tif 000004
【図３】
2006060552.tif 000005
【図４】
2006060552.tif 000006
【図５】
2006060552.tif 000007